(57)【要約】      （修正有）【課題】鼻パッド間の距離を変動させずに、レンズ間距離を調整可能な眼鏡フレームを提供すること。【解決手段】左右一対の各レンズを保持するための左右一対のリム１１Ｒ、１１Ｌと、前記左右一対のリムが取り付けられ、且つ、左右一対のテンプル１７Ｒ，１７Ｌを連結するブローバー１２と、前記ブローバーに設けられる左右一対の鼻パッド１３Ｒ、１３Ｌと、前記左右一対の各リムと、前記左右一対の各リムが取り付けられる前記ブローバーの左右の各部位との何れか一方に設けられる前後方向に延びるネジ１４と、前記左右一対の各リムと、前記ブローバーの左右の各部位との何れか他方を前後方向に貫通する孔１５と、前記左右一対の各リムを前記ブローバーに取り付けるために、前記孔に挿入された前記各ネジに螺合するナット１６とを備え、前記孔は、前後方向に直交する断面において左右方向長さが上下方向長さより長い長孔である。【選択図】図１
2011158706.tif 000002
【特許請求の範囲】
【請求項１】
左右一対の各レンズを保持するための左右一対のリムと、
前記左右一対のリムが取り付けられ、且つ、左右一対のテンプルを連結するブローバーと、
前記ブローバーに設けられる左右一対の鼻パッドと、
前記左右一対の各リムと、前記左右一対の各リムが取り付けられる前記ブローバーの左右の各部位との何れか一方に設けられる前後方向に延びるネジと、
前記左右一対の各リムと、前記ブローバーの左右の各部位との何れか他方を前後方向に貫通する孔と、
前記左右一対の各リムを前記ブローバーに取り付けるために、前記孔に挿入された前記各ネジに螺合するナットとを備え、
前記孔は、前後方向に直交する断面において左右方向長さが上下方向長さより長い長孔であることを特徴とする眼鏡フレーム。
【請求項２】
左右一対の各レンズを保持するための左右一対のリムと、
前記左右一対のリムが取り付けられ、且つ、左右一対のテンプルを連結するブローバーと、
前記ブローバーに設けられる左右一対の鼻パッドと、
前記左右一対の各リムと、前記左右一対の各リムが取り付けられる前記ブローバーの左右の各部位との何れか一方に設けられる前後方向に延びるネジと、
前記左右一対の各リムと、前記ブローバーの左右の各部位との何れか他方を前後方向に貫通する孔と、
前記左右一対の各リムを前記ブローバーに取り付けるために、前記孔に挿入された前記各ネジに螺合するナットとを備え、
前記孔は、前記左右一対の各リムと、前記ブローバーの左右の各部位との何れか他方に、左右方向に沿って複数設けられていることを特徴とする眼鏡フレーム。
【請求項３】
前記ネジは、前記左右一対の各リムと、前記ブローバーの左右の各部位との何れか一方に、左右方向に沿って複数設けられ、
前記孔は、前記左右一対の各リムと、前記ブローバーの左右の各部位との何れか他方に、左右方向に沿って、前記ネジの数より多い数だけ設けられ、
前記ネジの間隔は、前記複数の各ネジが同時に前記孔の何れかに挿入可能であり、且つ、前記複数の各ネジが同時に挿入される孔の組を変更可能な間隔であることを特徴とする請求項２に記載の眼鏡フレーム。
【請求項４】
左右一対の各レンズを保持し、左右方向内側に突出する突出部を有する左右一対のリムと、
左右方向に直交する断面形状が略コの字状であって、互いに対向する各側面部によって前記左右一対の各リムの突出部を挟持して、前記各リムを連結する連結部材と、
前記連結部材に設けられる左右一対の鼻パッドと、
前記左右一対の各リムの突出部を挟持する前記連結部材の各側面部の左右の各部位に設けられ、前記各側面部の左右の各部位を前記各側面部の対向する方向に貫通する孔と、
前記左右一対の各リムの突出部に設けられ、前記左右一対の各リムの突出部を前記各側面部が対向する方向に貫通する孔と、
前記各側面部の左側の部位に設けられる孔と前記左側のリムの突出部に設けられる孔とに挿入されるネジと、
前記各側面部の右側の部位に設けられる孔と前記右側のリムの突出部に設けられる孔とに挿入されるネジと、
前記左側のリムの突出部を前記連結部材に挟持するために、前記各側面部の左側の部位に設けられる孔と前記左側のリムの突出部に設けられる孔とに挿入されたネジに螺合するナットと、
前記右側のリムの突出部を前記連結部材に挟持するために、前記各側面部の右側の部位に設けられる孔と前記右側のリムの突出部に設けられる孔とに挿入されたネジに螺合するナットとを備え、
前記各側面部の左右の各部位に設けられる孔と前記左右一対の各リムの突出部に設けられる孔との少なくとも何れか一方が、前後方向に直交する断面において左右方向長さが上下方向長さより長い長孔であることを特徴とする眼鏡フレーム。
【請求項５】
左右一対の各レンズを保持し、左右方向内側に突出する突出部を有する左右一対のリムと、
左右方向に直交する断面形状が略コの字状であって、互いに対向する各側面部によって前記左右一対の各リムの突出部を挟持して、前記各リムを連結する連結部材と、
前記連結部材に設けられる左右一対の鼻パッドと、
前記左右一対の各リムの突出部を挟持する前記連結部材の各側面部の左右の各部位に設けられ、前記各側面部の左右の各部位を前記各側面部の対向する方向に貫通する孔と、
前記左右一対の各リムの突出部に設けられ、前記左右一対の各リムの突出部を前記各側面部が対向する方向に貫通する孔と、
前記各側面部の左側の部位に設けられる孔と前記左側のリムの突出部に設けられる孔とに挿入されるネジと、
前記各側面部の右側の部位に設けられる孔と前記右側のリムの突出部に設けられる孔とに挿入されるネジと、
前記左側のリムの突出部を前記連結部材に挟持するために、前記各側面部の左側の部位に設けられる孔と前記左側のリムの突出部に設けられる孔とに挿入されたネジに螺合するナットと、
前記右側のリムの突出部を前記連結部材に挟持するために、前記各側面部の右側の部位に設けられる孔と前記右側のリムの突出部に設けられる孔とに挿入されたネジに螺合するナットとを備え、
前記各側面部の左右の各部位に設けられる孔と前記左右一対の各リムの突出部に設けられる孔との少なくとも何れか一方が、左右方向に沿って複数設けられていることを特徴とする眼鏡フレーム。
【発明の詳細な説明】
【技術分野】
【０００１】
本発明は、レンズ間距離を調整可能な眼鏡フレームに関する。
【背景技術】
【０００２】
レンズ間距離(左側のレンズの光学中心と右側のレンズの光学中心との左右方向の距離)が眼鏡使用者の瞳孔間距離に一致すると、眼鏡使用者は、眼鏡を通して違和感なく物を見ることができると共に、目に悪影響を与えることもない。従って、眼鏡使用者は、自身の瞳孔間距離に応じたレンズ間距離を有する眼鏡を購入する。
【０００３】
子供の瞳孔間距離は、子供の成長と共に大きくなる。このため、眼鏡使用者が子供である場合、眼鏡購入時から時間が経過すると、レンズ間距離と自身の瞳孔間距離とにずれが生じ、眼鏡を通して物を見る際に違和感を覚えたり、目に悪影響を及ぼすことがある。違和感や目への悪影響を抑えるために、従来では、子供の視力に変化がなくても、所定期間毎に、子供の眼鏡を子供の瞳孔間距離に一致するレンズ間距離を有する眼鏡に取り換えていた。このように、眼鏡を取り換えることは、経済的ではない。
【０００４】
特許文献１には、レンズ間距離が調整可能な眼鏡が開示されている。特許文献１の眼鏡は、左右一対の各レンズを保持する左右一対の各リムと、各リムを連結するブリッジ部とを備える。このブリッジ部は、左右方向の長さが調整可能である。特許文献１の眼鏡においては、ブリッジ部の左右方向の長さの調整によってリム間の距離を調整することで、レンズ間距離の調整が可能である。このため、特許文献１の眼鏡によれば、所定期間毎に子供の眼鏡を取り換えなくても、レンズ間距離と子供の瞳孔間距離とにずれが生じることに起因する違和感や目への悪影響が生じない。
【０００５】
しかしながら、特許文献１の眼鏡においては、左右一対の各リムに左右一対の各鼻パッドが設けられている。このため、左右一対の各リムを連結するブリッジ部の左右方向の長さを調整してレンズ間距離を調整すると、鼻パッド間の距離が変動する。子供の鼻の幅（左右方向の長さ）は、瞳孔間距離に比べて変化量が小さい。このため、瞳孔間距離に合わせて子供の眼鏡のレンズ間距離を調整すると、該眼鏡を子供が装着した際に、鼻パッドが鼻にしっかりと当たらず、眼鏡が安定しない。
【先行技術文献】
【特許文献】
【０００６】
【特許文献１】実用新案登録第３０９５８６２号公報
【発明の概要】
【発明が解決しようとする課題】
【０００７】
本発明は、鼻パッド間の距離を変動させずに、レンズ間距離を調整可能な眼鏡フレームを提供することを課題とする。
【課題を解決するための手段】
【０００８】
本発明は、第１の手段として、左右一対の各レンズを保持するための左右一対のリムと、前記左右一対のリムが取り付けられ、且つ、左右一対のテンプルを連結するブローバーと、前記ブローバーに設けられる左右一対の鼻パッドと、前記左右一対の各リムと、前記左右一対の各リムが取り付けられる前記ブローバーの左右の各部位との何れか一方に設けられる前後方向に延びるネジと、前記左右一対の各リムと、前記ブローバーの左右の各部位との何れか他方を前後方向に貫通する孔と、前記左右一対の各リムを前記ブローバーに取り付けるために、前記孔に挿入された前記各ネジに螺合するナットとを備え、前記孔は、前後方向に直交する断面において左右方向長さが上下方向長さより長い長孔であることを特徴とする眼鏡フレームを提供する。
【０００９】
第１の手段の眼鏡フレームは、左右一対の各リムとブローバーとを備える。左右一対の各リムは、ブローバーに取り付けられる。左側のリムは、左側のリムと、左側のリムが取り付けられるブローバーの左側の部位（以下、適宜「ブローバーの左側の部位」という。）との何れか一方に設けられる前後方向に延びるネジを、左側のリムと、ブローバーの左側の部位との何れか他方に設けられる長孔に挿入し、該ネジにナットを螺合することによってブローバーに取り付けられる。同様の手順で、右側のリムが、ブローバーに取り付けられる。
【００１０】
長孔は、前後方向に直交する断面において左右方向長さが上下方向長さより長い。このため、左側のリムとブローバーの左側の部位との何れか一方に設けられるネジが、左側のリムとブローバーの左側の部位との何れか他方に設けられる長孔に挿入された状態であって、該ネジにナットが螺合していない状態においては、該ネジ及び該長孔の何れか１つが設けられた左側のリム、及び、ブローバーは左右方向に移動可能である。左側のリム又はブローバーを左右方向に移動させることによって、ブローバーに対する左側のリムの位置を左右方向に調整できる。同様の理由により、ブローバーに対する右側のリムの位置も左右方向に調整できる。ブローバーに対する左右一対の各リムの位置を左右方向に調整することによって、左右一対の各リム間の左右方向の距離を調整できる。左右一対の各リムは、左右一対の各レンズを支持するためのものであり、左右一対の各リム間の左右方向の距離を調整することによって、レンズ間距離を調整できる。このため、第１の手段の眼鏡フレームにおいては、レンズ間距離が調整可能である。
【００１１】
また、左右一対の各鼻パッドは、ブローバーに設けられている。このため、ブローバーに対する左右一対の各リムの位置を左右方向に調整することによって、レンズ間距離を調整しても、鼻パッド間の距離は変動しない。従って、第１の手段の眼鏡フレームにおいては、鼻パッド間の距離を変動させずに、レンズ間距離が調整可能である。
【００１２】
また、本発明は、第２の手段として、左右一対の各レンズを保持するための左右一対のリムと、前記左右一対のリムが取り付けられ、且つ、左右一対のテンプルを連結するブローバーと、前記ブローバーに設けられる左右一対の鼻パッドと、前記左右一対の各リムと、前記左右一対の各リムが取り付けられる前記ブローバーの左右の各部位との何れか一方に設けられる前後方向に延びるネジと、前記左右一対の各リムと、前記ブローバーの左右の各部位との何れか他方を前後方向に貫通する孔と、前記左右一対の各リムを前記ブローバーに取り付けるために、前記孔に挿入された前記各ネジに螺合するナットとを備え、前記孔は、前記左右一対の各リムと、前記ブローバーの左右の各部位との何れか他方に、左右方向に沿って複数設けられていることを特徴とする眼鏡フレームを提供する。
【００１３】
第２の手段の眼鏡フレームは、左右一対の各リムと、左右一対の各リムが取り付けられるブローバーの左右の各部位との何れか他方に長孔が設けられることに代えて、左右一対の各リムと、左右一対の各リムが取り付けられるブローバーの左右の各部位との何れか他方に孔が左右方向に沿って複数設けられている点で第１の手段の眼鏡フレームと構成が異なる。第２の手段の眼鏡フレームには、左右一対の各リムと、左右一対の各リムが取り付けられるブローバーの左右の各部位との何れか他方に設けられる孔が左右方向に沿って複数設けられているので、左側のリムとブローバーの左側の部位との何れか一方に設けられるネジを挿入する孔を変更することによって、ブローバーに対する左側のリムの位置を左右方向に調整できる。同様の理由により、ブローバーに対する右側のリムの位置も左右方向に調整できる。このため、第２の手段の眼鏡フレームにおいては、レンズ間距離が調整可能である。また、左右一対の各鼻パッドは、第１の手段の眼鏡フレームと同様に、ブローバーに設けられている。このため、第２の手段の眼鏡フレームにおいても、レンズ間距離の調整によって、鼻パッド間の距離が変動することがない。従って、第２の手段の眼鏡フレームにおいても、鼻パッド間の距離を変動させずに、レンズ間距離が調整可能である。
【００１４】
第２の手段の眼鏡フレームの好ましい構成として、前記ネジは、前記左右一対の各リムと、前記ブローバーの左右の各部位との何れか一方に、左右方向に沿って複数設けられ、前記孔は、前記左右一対の各リムと、前記ブローバーの左右の各部位との何れか他方に、左右方向に沿って、前記ネジの数より多い数だけ設けられ、  前記ネジの間隔は、前記複数の各ネジが同時に前記孔の何れかに挿入可能であり、且つ、前記複数の各ネジが同時に挿入される孔の組を変更可能な間隔であることを特徴とする構成が挙げられる。
【００１５】
かかる好ましい構成においては、ネジ及び孔が複数設けられ、左右一対の各リムがブローバーに取り付けられた状態では、複数のネジが複数の孔に挿入される。このため、左右一対の各リムがブローバーに取り付けられた状態では、左右一対の各リムがブローバーに対して、前後方向に延びる軸周りに回転することが防止され、左右一対の各リムは安定した状態でブローバーに取り付けられる。
【００１６】
また、本発明は、第３の手段として、左右一対の各レンズを保持し、左右方向内側に突出する突出部を有する左右一対のリムと、左右方向に直交する断面形状が略コの字状であって、互いに対向する各側面部によって前記左右一対の各リムの突出部を挟持して、前記各リムを連結する連結部材と、前記連結部材に設けられる左右一対の鼻パッドと、前記左右一対の各リムの突出部を挟持する前記連結部材の各側面部の左右の各部位に設けられ、前記各側面部の左右の各部位を前記各側面部の対向する方向に貫通する孔と、前記左右一対の各リムの突出部に設けられ、前記左右一対の各リムの突出部を前記各側面部が対向する方向に貫通する孔と、前記各側面部の左側の部位に設けられる孔と前記左側のリムの突出部に設けられる孔とに挿入されるネジと、前記各側面部の右側の部位に設けられる孔と前記右側のリムの突出部に設けられる孔とに挿入されるネジと、前記左側のリムの突出部を前記連結部材に挟持するために、前記各側面部の左側の部位に設けられる孔と前記左側のリムの突出部に設けられる孔とに挿入されたネジに螺合するナットと、前記右側のリムの突出部を前記連結部材に挟持するために、前記各側面部の右側の部位に設けられる孔と前記右側のリムの突出部に設けられる孔とに挿入されたネジに螺合するナットとを備え、前記各側面部の左右の各部位に設けられる孔と前記左右一対の各リムの突出部に設けられる孔との少なくとも何れか一方が、前後方向に直交する断面において左右方向長さが上下方向長さより長い長孔であることを特徴とする眼鏡フレームを提供する。
【００１７】
第３の手段の眼鏡フレームは、左右方向内側に突出する突出部を有する左右一対の各リムと、左右方向に直交する断面形状が略コの字状であって、互いに対向する各側面部によって左右一対の各リムの突出部を挟持して、前記各リムを連結する連結部材とを備える。左側のリムの突出部は、左側のリムの突出部に設けられる孔と、左側のリムを挟持する連結部材の各側面部の左側の部位に設けられる孔とにネジを挿入し、該ネジにナットを螺合することによって、連結部材に挟持される。同様の手順で、右側のリムの突出部が連結部材に挟持される。
【００１８】
連結部材の各側面部の左右の各部位に設けられる孔と左右一対の各リムの突出部に設けられる孔との少なくとも何れか一方が、前後方向に直交する断面において左右方向長さが上下方向長さより長い長孔である。このため、連結部材と左側のリムの突出部とのそれぞれに設けられる孔にネジが挿入され、該ネジにナットが螺合されていない状態においては、連結部材が左側のリムの突出部を挟持していないので、連結部材及び左側のリムは、左右方向に移動可能である。連結部材又は左側のリムを左右方向に移動させることによって、連結部材に対する左側のリムの位置を左右方向に調整できる。同様の理由により、連結部材に対する右側のリムの位置も左右方向に調整できる。連結部材に対する左右一対の各リムの位置を左右方向に調整することによって、左右一対の各リム間の左右方向の距離を調整できる。左右一対の各リムは、左右一対の各レンズを支持するためのものであり、左右一対の各リム間の左右方向の距離を調整することによって、レンズ間距離を調整できる。このため、第３の手段の眼鏡フレームにおいては、レンズ間距離が調整可能である。
【００１９】
また、左右一対の各鼻パッドは、連結部材に設けられている。このため、連結部材に対する左右一対の各リムの位置を左右方向に調整することによって、レンズ間距離を調整しても、鼻パッド間の距離は変動しない。従って、第３の手段の眼鏡フレームにおいては、鼻パッド間の距離を変動させずに、レンズ間距離が調整可能である。
【００２０】
また、本発明は、第４の手段として、左右一対の各レンズを保持し、左右方向内側に突出する突出部を有する左右一対のリムと、左右方向に直交する断面形状が略コの字状であって、互いに対向する各側面部によって前記左右一対の各リムの突出部を挟持して、前記各リムを連結する連結部材と、前記連結部材に設けられる左右一対の鼻パッドと、前記左右一対の各リムの突出部を挟持する前記連結部材の各側面部の左右の各部位に設けられ、前記各側面部の左右の各部位を前記各側面部の対向する方向に貫通する孔と、前記左右一対の各リムの突出部に設けられ、前記左右一対の各リムの突出部を前記各側面部が対向する方向に貫通する孔と、前記各側面部の左側の部位に設けられる孔と前記左側のリムの突出部に設けられる孔とに挿入されるネジと、前記各側面部の右側の部位に設けられる孔と前記右側のリムの突出部に設けられる孔とに挿入されるネジと、前記左側のリムの突出部を前記連結部材に挟持するために、前記各側面部の左側の部位に設けられる孔と前記左側のリムの突出部に設けられる孔とに挿入されたネジに螺合するナットと、前記右側のリムの突出部を前記連結部材に挟持するために、前記各側面部の右側の部位に設けられる孔と前記右側のリムの突出部に設けられる孔とに挿入されたネジに螺合するナットとを備え、前記各側面部の左右の各部位に設けられる孔と前記左右一対の各リムの突出部に設けられる孔との少なくとも何れか一方が、左右方向に沿って複数設けられていることを特徴とする眼鏡フレームを提供する。
【００２１】
第４の手段の眼鏡フレームは、連結部材の各側面部の左右の各部位に設けられる孔と左右一対の各リムの突出部に設けられる孔との少なくとも何れか一方が長孔であることに代えて、少なくとも何れか一方が左右方向に沿って複数設けられている点で、第３の手段の眼鏡フレームと構成が異なる。第４の手段の眼鏡フレームには、少なくとも何れか一方の孔が左右方向に沿って複数設けられているので、ネジを挿入する連結部材の各側面部の左側の部位に設けられる孔と左側のリムの突出部に設けられる孔との組を変更することによって、連結部材に対する左側のリムの位置を左右方向に調整できる。同様の理由により、連結部材に対する右側のリムの位置を左右方向に調整できる。このため、第４の手段の眼鏡フレームにおいては、レンズ間距離が調整可能である。また、左右一対の各鼻パッドは、第３の手段の眼鏡フレームと同様に、連結部材に設けられている。このため、第４の手段の眼鏡フレームにおいても、レンズ間距離の調整によって、鼻パッド間の距離が変動することがない。従って、第４の手段の眼鏡フレームにおいても、鼻パッド間の距離を変動させずに、レンズ間距離が調整可能である。
【発明の効果】
【００２２】
以上に説明したように、本発明は、鼻パッド間の距離を変動させずに、レンズ間距離を調整可能な眼鏡フレームを提供できる。
【図面の簡単な説明】
【００２３】
【図１】図１は、実施形態１の眼鏡フレームの概略構成図であり、図１（ａ）は、平面図を示し、図１（ｂ）は、実施形態１の眼鏡フレームが備えるブローバー、左右一対の鼻パッド、及び、孔の拡大正面図を示し、図１（ｃ）は、左右一対のリム及びネジの平面図を示す。
【図２】図２は、実施形態２の眼鏡フレームの概略平面図である。
【図３】図３は、実施形態３の眼鏡フレームの概略平面図であり、図３（ａ）は、ブローバーに設けられる孔の間隔が等間隔である場合の眼鏡フレームの概略平面図を示し、図３（ｂ）は、ブローバーに設けられる孔の間隔が等間隔でない場合の眼鏡フレームのブローバーの左側の部位、左側のリム、及び、ネジの概略平面図を示す。
【図４】図４は、実施形態４の眼鏡フレームの概略構成図であり、図４（ａ）は平面図を示し、図４（ｂ）は、眼鏡フレームの左右一対の各リム、及び、孔の正面図を示し、図４（ｃ）は図４（ａ）のＸ―Ｘ線に沿って連結部材を切断したときに現れる連結部材の端面を示す。
【図５】図５は、実施形態４の眼鏡フレームの連結部材近傍の拡大平面図を示す。
【図６】図６は、実施形態５の眼鏡フレームの左右一対のリム、及び、孔の正面図である。
【発明を実施するための形態】
【００２４】
以下、本発明の実施形態について、添付図面を参照しつつ説明する。
【００２５】
＜実施形態１＞
図１は、本実施形態の眼鏡フレーム１０の概略構成図であり、図１（ａ）は平面図を示し、図１（ｂ）は、眼鏡フレーム１０が備えるブローバー１２、左右一対の鼻パッド１３Ｌ、１３Ｒ、及び、孔１５の拡大正面図を示す。図１（ａ）に示すように、眼鏡フレーム１０は、左右一対のリム１１Ｌ、１１Ｒと、ブローバー１２と、左右一対の鼻パッド１３Ｌ、１３Ｒと、ネジ１４と、孔１５と、ナット１６とを備える。
【００２６】
左右一対の各リム１１Ｌ、１１Ｒは、左右一対の各レンズ（図示しない）を保持するための部材である。ブローバー１２は、左右一対のリム１１Ｌ、１１Ｒが取り付けられ、且つ、左右一対の各テンプル１７Ｌ、１７Ｒを連結する部材である。左右一対の各鼻パッド１３Ｌ、１３Ｒは、ブローバー１２に設けられている。
【００２７】
ネジ１４は、左右一対の各リム１１Ｌ、１１Ｒと、左右一対の各リム１１Ｌ、１１Ｒが取り付けられるブローバー１２の左右の各部位１２１、１２２との何れか一方に設けられる。本実施形態では、図１（ｃ）に示すように、ネジ１４は、左右一対の各リム１１Ｌ、１１Ｒに設けられている。具体的には、ネジ１４は、左右一対の各リム１１Ｌ、１１Ｒの後面に設けられている。また、各ネジ１４は、前後方向に延びるように設けられている。本実施形態では、各ネジ１４は、左右一対の各リム１１Ｌ、１１Ｒの後面から後方に延びるように設けられている。
【００２８】
孔１５は、左右一対の各リム１１Ｌ、１１Ｒと、ブローバー１２の左右の各部位１２１、１２２との何れか他方に設けられている。本実施形態では、孔１５は、ブローバー１２の左右の各部位１２１、１２２に設けられている。孔１５は、ブローバー１２の左右の各部位１２１、１２２を前後方向に貫通している。また、図１（ｂ）に示すように、孔１５は、前後方向に直交する断面において、左右方向長さＡが上下方向長さＢより長い長孔である。孔１５は、ネジ１４を前後方向に挿脱可能な大きさとなっており、本実施形態では、孔１５の上下方向長さＢは、ネジ１４の外径より大きくなっている。尚、本実施形態では、ネジ１４の外径は１．４ｍｍである。また、本実施形態では、孔１５の左右方向長さＡは、２．５ｍｍであり、孔１５の上下方向長Ｂさは１．５ｍｍである。従って、本実施形態では、孔１５の上下方向長Ｂさに対する孔１５の左右方向長さＡの比は、約１．６７である。本発明においては、孔１５の上下方向長さＢに対する孔１５の左右方向長さＡの比は、好ましくは、１．２〜３．０とされる。
【００２９】
ナット１６は、図１（ａ）に示すように、左右一対の各リム１１Ｌ、１１Ｒをブローバー１２に取り付けるために、孔１５に挿入された各ネジ１４に螺合する部材である。
【００３０】
以上に説明した眼鏡フレーム１０において、左側のリム１１Ｌのブローバー１２への取り付けは、次のように行う。まず、左側のリム１１Ｌを、ブローバー１２の前方から後方向に移動させ、左側のリム１１Ｌに設けられているネジ１４を、ブローバー１２の左側の部位１２１に設けられている孔１５に挿入する。次に、孔１５からブローバー１２の後方に抜け出たネジ１４の先端部から該ネジ１４にナット１６を螺合し、左側のリム１１Ｌをブローバー１２に固定する。これにより、左側のリム１１Ｌがブローバー１２に取り付けられる。同様の手順で、右側のリム１１Ｒがブローバー１２に取り付けられる。
【００３１】
眼鏡フレーム１０においては、ブローバー１２に取り付けられた左右一対の各リム１１Ｌ、１１Ｒ間の左右方向の距離Ｃを調整できる。この調整は、ブローバー１２に対する左側のリム１１Ｌの位置、及び、ブローバー１２に対する右側のリム１１Ｒの位置を左右方向に調整することによって行う。ブローバー１２に対する左側のリム１１Ｌの位置の左右方向の調整は、次のように行う。まず、ブローバー１２に取り付けられた左側のリム１１Ｌに設けられたネジ１４に螺合したナット１６を緩め、左側のリム１１Ｌがブローバー１２に固定された状態を解除する。孔１５は、ネジ１４の外径より大きい上下方向長さＢより左右方向長さＡが長い。このため、ナット１６が緩められた状態では、ネジ１４は、孔１５に挿入されたままの状態で、左右方向に移動可能である。即ち、ネジ１４が孔１５に挿入されたままの状態で、ネジ１４が設けられた左側のリム１１Ｌが左右方向に移動可能である。上記のように、ナット１６を緩めると、例えば、ネジ１４が設けられた左側のリム１１Ｌを左右方向に移動させ、ブローバー１２に対する左側のリム１１Ｌの位置を左右方向に調整する。次に、緩めたナット１６を締め直し、左側のリム１１Ｌをブローバー１２に固定する。
【００３２】
以上のように、ブローバー１２に対する左側のリム１１Ｌの位置を左右方向に調整できる。同様にして、ブローバー１２に対する右側のリム１１Ｒの位置も調整できる。ブローバー１２に対する左右一対の各リム１１Ｌ、１１Ｒの位置を左右方向に調整することによって、左右一対の各リム１１Ｌ、１１Ｒ間の左右方向の距離Ｃを調整できる。左右一対の各リム１１Ｌ、１１Ｒは、左右一対の各レンズを支持するためのものであり、左右一対の各リム１１Ｌ、１１Ｒ間の左右方向の距離Ｃを調整すれば、レンズ間距離が調整される。このため、眼鏡フレーム１０においては、レンズ間距離が調整可能である。
【００３３】
また、左右一対の各鼻パッド１３Ｌ、１３Ｒは、ブローバー１２に設けられている。このため、ブローバー１２に対する左右一対の各リム１１Ｌ、１１Ｒの位置を左右方向に調整することによって、レンズ間距離を調整しても、鼻パッド間の距離は変動しない。従って、眼鏡フレーム１０においては、鼻パッド間の距離を変動させずに、レンズ間距離を調整できる。
【００３４】
尚、本実施形態においては、左右一対の各リム１１Ｌ、１１Ｒがブローバー１２に取り付けられた状態において、左右一対の各リム１１Ｌ、１１Ｒがブローバー１２の前方に位置するようにするために、ネジ１４が左右一対の各リム１１Ｌ、１１Ｒの後面から後方に延びるように設けられている。左右一対の各リム１１Ｌ、１１Ｒがブローバー１２に取り付けられた状態において、左右一対の各リム１１Ｌ、１１Ｒがブローバー１２の後方に位置してもよい。この場合、ネジ１４は、左右の各リム１１Ｌ、１１Ｒの前面から前方に延びるように設けられる。
【００３５】
また、本実施形態においては、ネジ１４が、左右一対の各リム１１Ｌ、１１Ｒに設けられ、且つ、孔１５がブローバー１２の左右の各部位１２１、１２２に設けられる場合について説明したが、ネジ１４が、ブローバー１２の左右の各部位１２１、１２２に設けられ、且つ、孔１５が左右一対の各リム１１Ｌ、１１Ｒに設けられてもよい。ブローバー１２の左右の各部位１２１、１２２に設けられるネジ１４は、ブローバー１２の左右の各部位１２１、１２２の前面から前方に延びるように設けられても、ブローバー１２の左右の各部位１２１、１２２の後面から後方に延びるように設けられてもよい。
【００３６】
＜実施形態２＞
図２は、本実施形態の眼鏡フレーム１０Ａの概略平面図である。図２に示すように、本実施形態の眼鏡フレーム１０Ａは、ブローバー１２の左右の各部位１２１、１２２に長孔が設けられることに代えて、ブローバー１２の左右の各部位１２１、１２２に孔１５が左右方向に沿って複数設けられている点で実施形態１の眼鏡フレーム１０と構成が異なる。本実施形態の眼鏡フレーム１０Ａには、ブローバー１２の左右の各部位１２１、１２２に左右方向に沿って複数の孔１５が設けられているので、左側のリム１１Ｌに設けられるネジ１４を挿入する孔１５を変更することによって、ブローバー１２に対する左側のリム１１Ｌの位置を左右方向に調整できる。同様の理由により、ブローバー１２に対する右側のリム１１Ｒの位置も左右方向に調整できる。このため、本実施形態の眼鏡フレーム１０Ａにおいては、レンズ間距離が調整可能である。また、左右一対の各鼻パッド１３Ｌ、１３Ｒは、実施形態１の眼鏡フレーム１０と同様に、ブローバー１２に設けられている。このため、本実施形態の眼鏡フレーム１０Ａにおいても、レンズ間距離の調整によって、鼻パッド間の距離が変動することがない。従って、本実施形態の眼鏡フレーム１０Ａにおいても、鼻パッド間の距離を変動させずに、レンズ間距離が調整可能である。
【００３７】
＜実施形態３＞
図３は、本実施形態の眼鏡フレーム１０Ｂの概略平面図であり、図３（ａ）は、ブローバー１２に設けられる孔１５の間隔が等間隔である場合の眼鏡フレーム１０Ｂの概略平面図を示し、図３（ｂ）は、ブローバー１２に設けられる孔１５の間隔が等間隔でない場合の眼鏡フレーム１０Ｂのブローバー１２の左側の部位１２１及び、左側のリム１１Ｌの概略平面図を示す。図３に示すように、本実施形態の眼鏡フレーム１０Ｂは、左右一対の各リム１１Ｌ、１１Ｒに複数のネジ１４が設けられ、且つ、ブローバー１２の左右の各部位１２１、１２２に、左右一対の各リム１１Ｌ、１１Ｒに設けられるネジ１４の数よりも多い数だけ孔１５が設けられる点が、実施形態２の眼鏡フレーム１０Ａと構成が異なる。左右一対の各リム１１Ｌ、１１Ｒに設けられる複数のネジ１４は、左右方向に沿うように設けられている。左右一対の各リム１１Ｌ、１１Ｒに設けられるネジ１４の間隔は、複数の各ネジ１４が同時にブローバー１２の左右の各部位１２１、１２２に設けられる孔１５の何れかに挿入可能であり、且つ、複数の各ネジ１４が同時に挿入される孔１５の組を変更可能な間隔である。このようなネジ１４の間隔の例として、図３（ａ）に示すような例がある。図３（ａ）に示すように、ネジ１４が左右一対の各リム１１Ｌ、１１Ｒに２つ設けられ、孔１５がブローバー１２の左右の各部位１２１、１２２に等間隔で３つ設けられており、且つ、ネジ１４間隔（ネジ１４の中心間距離）と孔１５の間隔（孔１５の中心間距離）が等しい間隔である。図３（ａ）に示すように、左側のリム１１Ｌの左側のネジ１４をブローバー１２の左側の部位１２１の左側の孔１５に、左側のリム１１Ｌの右側のネジ１４をブローバー１２の左側の部位１２１の中央の孔１５に挿入できる。また、図示していないが、左側のリム１１Ｌの左側のネジ１４をブローバー１２の左側の部位１２１の中央の孔１５に、左側のリム１１Ｌの右側のネジ１４をブローバー１２の左側の部位１２１の右側の孔１５に挿入できる。
【００３８】
また、ネジ１４の間隔として、図３（ａ）に示すような例の他、図３（ｂ）に示すような例がある。図３（ｂ）に示すように、左右一対の各リム１１Ｌ、１１Ｒにネジ１４が３本設けられ、孔１５がブローバー１２の左右の各部位１２１、１２２に６つ設けられている。左右一対の各リム１１Ｌ、１１Ｒに設けられた左側のネジ１４と中央のネジ１４との間隔はＥ１であり、中央のネジ１４と右側のネジ１４との間隔はＥ２である。ブローバー１２の左右の各部位１２１、１２２に設けられた左から１番面の孔１５と２番目の孔１５との間隔はＥ１であり、左から２番面の孔１５と３番目の孔１５との間隔はＥ２であり、左から３番面の孔１５と４番目の孔１５との間隔は任意の間隔Ｆであり、左から４番面の孔１５と５番目の孔１５との間隔はＥ１であり、左から５番面の孔１５と６番目の孔１５との間隔はＥ２である。
【００３９】
図３（ｂ）に示すように、左側のリム１１Ｌの左側のネジ１４をブローバー１２の左側の部位１２１の左から１番目の孔１５に、左側のリム１１Ｌの中央のネジ１４をブローバー１２の左側の部位１２１の左から２番目の孔１５に、左側のリム１１Ｌの右側のネジ１４をブローバー１２の左側の部位１２１の左から３番目の孔１５に挿入できる。また、左側のリム１１Ｌの左側のネジ１４をブローバー１２の左側の部位１２１の左から４番目の孔１５に、左側のリム１１Ｌの中央のネジ１４をブローバー１２の左側の部位１２１の左から５番目の孔１５に、左側のリム１１Ｌの右側のネジ１４をブローバー１２の左側の部位１２１の左から６番目の孔１５に挿入できる。
【００４０】
以上のように、ネジ１４の間隔が、複数の各ネジ１４が同時にブローバー１２の左右の各部位１２１、１２２に設けられる孔１５の何れかに挿入可能であり、且つ、複数の各ネジ１４が同時に挿入される孔１５の組を変更可能な間隔であると、左側のリム１１Ｌに設けられた複数の各ネジ１４が同時に挿入される孔１５の組を変更することで、ブローバー１２に対する左側のリム１１Ｌの位置を左右方向に調整できる。同様に理由により、ネジ１４の間隔が、上記の間隔であると、右側のリム１１Ｒに設けられた複数の各ネジ１４が同時に挿入される孔１５の組を変更することで、ブローバー１２に対する右側のリム１１Ｒの位置を左右方向に調整できる。このため、本実施形態の眼鏡フレーム１０Ｂにおいては、レンズ間距離が調整可能である。また、左右一対の各鼻パッド１３Ｌ、１３Ｒは、実施形態１の眼鏡フレーム１０と同様に、ブローバー１２に設けられている。このため、本実施形態の眼鏡フレーム１０Ｂにおいても、レンズ間距離の調整によって、鼻パッド間の距離が変動することがない。従って、本実施形態の眼鏡フレーム１０Ｂにおいても、鼻パッド間の距離を変動させずに、レンズ間距離が調整可能である。また、左右一対の各リム１１Ｌ、１１Ｒがブローバー１２に取り付けられた状態では、複数のネジ１４が複数の孔１５に挿入される。このため、左右一対の各リム１１Ｌ、１１Ｒがブローバー１２に取り付けられた状態では、左右一対の各リム１１Ｌ、１１Ｒがブローバー１２に対して、前後方向に延びる軸周りに回転することが防止され、左右一対の各リム１１Ｌ、１１Ｒは安定した状態でブローバー１２に取り付けられる。
【００４１】
＜実施形態４＞
図４は、本実施形態の眼鏡フレーム１０Ｃの概略構成図であり、図４（ａ）は平面図を示し、図４（ｂ）は、眼鏡フレーム１０Ｃの左右一対の各リム１１Ｌ、１１Ｒの正面図を示し、図４（ｃ）は図４（ａ）のＸ―Ｘ線に沿って連結部材１８を切断したときに現れる連結部材１８の端面図を示す。図５は、連結部材１８近傍の拡大平面図を示す。図４（ａ）に示すように、眼鏡フレーム１０Ｃは、左右一対のリム１１Ｌ、１１Ｒと、連結部材１８と、左右一対の鼻パッド１３Ｌ、１３Ｒと、孔１９、２０と、ネジ１４Ｌ、１４Ｒと、ナット１６Ｌ、１６Ｒとを備える。
【００４２】
左右一対の各リム１１Ｌ、１１Ｒは、左右一対の各レンズ（図示しない）を保持するための部材である。左右一対の各リム１１Ｌ、１１Ｒの左右方向外側には左右一対の各テンプル１７Ｌ、１７Ｒが連結されている。また、図４（ｂ）に示すように、左右一対の各リム１１Ｌ、１１Ｒは、左右方向内側に突出する突起部１１１を有している。図４（ｃ）に示すように、連結部材１８は、左右方向に直交する断面形状が略コの字状である。図５に示すように、連結部材１８は、互いに対向する各側面部１８１によって左右一対の各リム１１Ｌ、１１Ｒの突出部１１１を挟持して、左右一対の各リム１１Ｌ、１１Ｒを連結する。本実施形態では、連結部材１８は、各側面部１８１が対向する方向が前後方向であり、下方が開口部となる姿勢で、左右一対の各リム１１Ｌ、１１Ｒを連結する。左右一対の各鼻パッド１３Ｌ、１３Ｒは、連結部材１８に設けられている。
【００４３】
孔１９は、図５に示すように、左右一対の各リム１１Ｌ、１１Ｒの突出部１１１を挟持する連結部材１８の各側面部１８１の左右の各部位に設けられ、各側面部１８１の左右の各部位を各側面部１８１が対向する方向（即ち、前後方向）に貫通する孔である。連結部材１８の左右方向の中央部から連結部材１８の各側面部１８１の左側の部位に設けられる孔１９までの距離と、連結部材１８の左右方向の中央部からの連結部材１８の各側面部１８１の右側の部位に設けられる孔１９までの距離とは、本実施形態では等しい。孔２０は、左右一対の各リム１１Ｌ、１１Ｒの突出部１１１に設けられ、左右一対の各リム１１Ｌ、１１Ｒの突出部１１１を前後方向に貫通する孔である。尚、左側のリム１１Ｌに支持されるレンズの光学中心から左側のリム１１Ｌの突出部１１１に設けられる孔２０までの左右方向の距離と、右側のリム１１Ｒに支持されるレンズの光学中心から右側のリム１１Ｒの突出部１１１に設けられる孔２０までの左右方向の距離とは、本実施形態では等しい。連結部材１８の各側面部１８１の左右の各部位に設けられる孔１９と、左右一対の各リム１１Ｌ、１１Ｒの突出部１１１に設けられる孔２０との少なくとも何れか一方が、前後方向に直交する断面において左右方向長さＡが上下方向長さＢより長い長孔である。本実施形態においては、左右一対の各リム１１Ｌ、１１Ｒの突出部１１１に設けられる孔２０が長孔である。尚、孔１９、２０は、雌ねじが設けられる孔であっても、雌ねじが設けられていない孔（円筒形の孔）であってもよい。
【００４４】
ネジ１４Ｌは、連結部材１８の各側面部１８１の左側の部位に設けられる孔１９と左側のリム１１Ｌの突出部１１１に設けられる孔２０とに挿入される。また、ネジ１４Ｒは、連結部材１８の各側面部１８１の右側の部位に設けられる孔１９と右側のリム１１Ｒの突出部１１１に設けられる孔２０とに挿入される。ネジ１４Ｌ、１４Ｒは、孔１９、２０を前後方向に挿脱可能な大きさとなっており、本実施形態では、孔１９の内径及び、孔２０の上下方向長さＢは、ネジ１４Ｌ、１４Ｒの外径より大きくなっている。尚、本実施形態では、ネジ１４Ｌ、１４Ｒの外径は１．４ｍｍである。本実施形態では、孔２０の左右方向長さＡは、２．５ｍｍであり、孔２０の上下方向長Ｂさは１．５ｍｍである。従って、本実施形態では、孔２０の上下方向長Ｂさに対する孔２０の左右方向長さＡの比は、約１．６７である。本発明においては、孔２０の上下方向長Ｂさに対する孔２０の左右方向長さＡの比は、好ましくは、１．２〜３．０とされる。
【００４５】
ナット１６Ｌは、左側のリム１１Ｌの突出部１１１を連結部材１８に挟持するために、連結部材１８の各側面部１８１の左側の部位に設けられる孔１９と左側のリム１１Ｌの突出部１１１に設けられる孔２０とに挿入されたネジ１４Ｌに螺合する。ナット１６Ｒは、右側のリム１１Ｒの突出部１１１を連結部材１８に挟持するために、連結部材１８の各側面部１８１の右側の部位に設けられる孔１９と右側のリム１１Ｒの突出部１１１に設けられる孔２０とに挿入されたネジ１４Ｒに螺合する。
【００４６】
以上に説明した眼鏡フレーム１０Ｃにおいて、左側のリム１１Ｌの突出部１１１の連結部材１８への挟持は、次のようにして行う。まず、左側のリム１１Ｌの突出部１１１を、連結部材１８の左方から、連結部材１８の２つの側面部１８１で挟まれた空間に移動させ、連結部材１８の各側面部１８１の左側の部位に設けられる孔１９と、左側のリム１１Ｌの突出部１１１に設けられる孔２０とが前後方向に重なるようにする。そして、連結部材１８の各側面部１８１の左側の部位に設けられる孔１９と左側のリム１１Ｌの突出部１１１に設けられる孔２０とにネジ１４Ｌを連結部材１８の前方から挿入する。次に、連結部材１８の後方の側面部１８１の左側の部位に設けられる孔１９の後方に抜け出たネジ１４Ｌの先端部から該ネジ１４Ｌにナット１６Ｌを螺合し、左側のリム１１Ｌの突出部１１１を連結部材１８の各側面部１８にて挟持する。同様の手順で、右側のリム１１Ｒの突出部１１１が連結部材１８に挟持される。
【００４７】
眼鏡フレーム１０Ｃにおいては、連結部材１８に突出部１１１が挟持された左側のリム１１Ｌ及び右側のリム１１Ｒ間の左右方向の距離Ｃ（図５参照）を調整できる。この調整は、連結部材１８に対する左側のリム１１Ｌの位置、及び、連結部材１８に対する右側のリム１１Ｒの位置を左右方向に調整することによって行う。連結部材１８に対する左側のリム１１Ｌの位置の左右方向の調整は、次のように行う。まず、連結部材１８の各側面部１８１の左側の部位に設けられる孔１９と、左側のリム１１Ｌの突出部１１１に設けられる孔２０とに挿入されたネジ１４Ｌに螺合するナット１６Ｌを緩める。ナット１６Ｌを緩めることで、左側のリム１１Ｌが連結部材１８の各側面部１８１に挟持された状態が解除される。本実施形態においては、左右一対の各リム１１Ｌ、１１Ｒの突出部１１１に設けられる孔２０が長孔であり、孔２０は、ネジ１４Ｌの外径より大きい上下方向長さＢより左右方向長さＡが長い。このため、ナット１６Ｌが緩められた状態では、左側のリム１１Ｌ及び連結部材１８は、孔１９、２０にネジ１４Ｌが挿入されたままの状態で、左右方向に移動可能である。上記のように、ナット１６を緩めると、例えば、左側のリム１１Ｌを左右方向に移動させ、連結部材１８に対する左側のリム１１Ｌの位置を左右方向に調整する。次に、緩めたナット１６Ｌを締め直し、左側のリム１１Ｌの突出部１１１を連結部材１８の各側面部１８１に挟持させる。
【００４８】
以上のように、連結部材１８に対する左側のリム１１Ｌの位置を左右方向に調整できる。同様にして、連結部材１８に対する右側のリム１１Ｒの位置も調整できる。連結部材１８に対する左右一対の各リム１１Ｌ、１１Ｒの位置を左右方向に調整することによって、左右一対の各リム１１Ｌ、１１Ｒ間の左右方向の距離Ｃを調整できる。左右一対の各リム１１Ｌ、１１Ｒは、左右一対の各レンズを支持するためのものであり、左右一対の各リム１１Ｌ、１１Ｒ間の左右方向の距離Ｃを調整すれば、レンズ間距離が調整される。このため、眼鏡フレーム１０Ｃにおいては、レンズ間距離が調整可能である。
【００４９】
また、左右一対の各鼻パッド１３Ｌ、１３Ｒは、連結部材１８に設けられている。このため、連結部材１８に対する左右一対の各リム１１Ｌ、１１Ｒの位置を左右方向に調整することによって、レンズ間距離を調整しても、鼻パッド間の距離は変動しない。従って、眼鏡フレーム１０Ｃにおいては、鼻パッド間の距離を変動させずに、レンズ間距離を調整できる。
【００５０】
尚、本実施形態では、連結部材１８は、下方が開口部となる姿勢で、左右一対の各リム１１Ｌ、１１Ｒを連結する場合について説明したが、連結部材１８は、上方、前方、及び、後方の何れかが開口部となる姿勢で左右一対の各リム１１Ｌ、１１Ｒを連結してもよい。孔２０は、連結部材１８の各側面部１８１が対向する方向に貫通する孔である。上方が開口部となる姿勢で連結部材１８が左右一対の各リム１１Ｌ、１１Ｒを連結する場合、連結部材１８の各側面部１８１が対向する方向は前後方向であり、従って、孔２０が貫通する方向は、前後方向である。また、前方又は後方が開口部となる姿勢で連結部材１８が左右一対の各リム１１Ｌ、１１Ｒを連結する場合、連結部材１８の各側面部１８１が対向する方向は上下方向であり、従って、孔２０が貫通する方向は、上下方向である。
【００５１】
＜実施形態５＞
図６は、本実施形態の眼鏡フレーム１０Ｄの左右一対のリム１１Ｌ、１１Ｒの正面図である。眼鏡フレーム１０Ｄは、連結部材１８の各側面部１８１の左右の各部位に設けられる孔１９と左右一対の各リム１１Ｌ、１１Ｒの突出部１１１に設けられる孔２０との少なくとも何れか一方が長孔であることに代えて、少なくとも何れか一方が左右方向に沿って複数設けられている点で、実施形態４の眼鏡フレーム１０Ｃと構成が異なる。本実施形態では、左右一対の各リム１１Ｌ、１１Ｒに左右方向に沿って複数の孔２０が設けられている。本実施形態の眼鏡フレーム１０Ｄでは、左右一対の各リム１１Ｌ、１１Ｒに左右方向に沿って複数の孔２０が設けられているので、ネジ１４Ｌを挿入する連結部材１８の各側面部１８１の左側の部位に設けられる孔１９と左側のリム１１Ｌの突出部１１１に設けられる孔２０との組を変更することによって、連結部材１８に対する左側のリム１１Ｌの位置を左右方向に調整できる。同様の理由により、連結部材１８に対する右側のリム１１Ｒの位置を左右方向に調整できる。このため、本実施形態の眼鏡フレーム１０Ｄにおいては、レンズ間距離が調整可能である。また、左右一対の各鼻パッド１３Ｌ、１３Ｒは、実施形態４の眼鏡フレーム１０Ｃと同様に、連結部材１８に設けられている。このため、本実施形態の眼鏡フレーム１０Ｄにおいても、レンズ間距離の調整によって、鼻パッド間の距離が変動することがない。従って、本実施形態の眼鏡フレーム１０Ｄにおいても、鼻パッド間の距離を変動させずに、レンズ間距離が調整可能である。
【符号の説明】
【００５２】
１０、１０Ａ、１０Ｂ、１０Ｃ、１０Ｄ…眼鏡フレーム、１１Ｌ、１１Ｒ…リム、１２…連結部材、１３Ｌ、１３Ｒ…鼻パッド、１４、１４Ｌ、１４Ｒ…ネジ、１５、１９、２０…孔、１６、１６Ｌ、１６Ｒ…ナット、１７Ｌ、１７Ｒ…テンプル、１８…連結部材
【図１】
2011158706.tif 000003
【図２】
2011158706.tif 000004
【図３】
2011158706.tif 000005
【図４】
2011158706.tif 000006
【図５】
2011158706.tif 000007
【図６】
2011158706.tif 000008